(57)【特許請求の範囲】
【請求項１】
下部に一箇所以上のブリッジ部によって連結されたタンパーエビデントバンドを有するキャップと、該キャップが螺着されるクロージャーとからなる改ざん防止用クロージャー構造であって、上記クロージャーがクロージャー本体とカシメリングとを具備し、上記クロージャー本体の外周壁にテーパー部を設けると共に、このテーパー部に上記タンパーエビデントバンドの内周面に備えられた突起部が挿入される一箇所以上の凹状部を設け、且つ上記テーパー部下側に周方向に沿って容器の開口部周縁を挟着するカシメリング嵌合部を設けたことを特徴とする改ざん防止用クロージャー構造。
【請求項２】
上記突起部が、上記タンパーエビデントバンドのバンド本体の内周面側を基部とし、その先端部が自由端となるように上記バンド本体の内周面に固設された羽根状部材からなり、上記キャップを開封する時に上記羽根状部材の先端部が上記凹状部に係止されることによって、上記ブリッジ部が切断される請求項１記載の改ざん防止用クロージャー構造。
【請求項３】
上記テーパー部の凹状部非形成部の下端部の周方向に沿った長さの合計と、上記凹状部の外側下端部の長さの合計との比率が３：７〜８：２である請求項１又は２記載の改ざん防止用クロージャー構造。
【請求項４】
上記凹状部の外側下端部が上記テーパー部の下端部がなす円周上よりも内方になるように形成された請求項１、２又は３記載の改ざん防止用クロージャー構造。
【請求項５】
上記凹状部の外側上端部が上記キャップが螺着された時に上記タンパーエビデントバンドの羽根状部材の先端部よりも外方になるように形成されている請求項２、３又は４記載の改ざん防止用クロージャー構造。
【請求項６】
上記凹状部が一端側に上記羽根状部材を係止する側壁面を有すると共に、他端側に上記羽根状部材の上記タンパーエビデントバンド内周面に対する突起角度に対応する斜面を有する請求項２乃至５のいずれか１項記載の改ざん防止用クロージャー構造。
【請求項７】
上記タンパーエビデントバンドの上記羽根状部材の先端部の下側角部が上記テーパー部のテーパー角度に合わせて切り取られた請求項２乃至６のいずれか１項記載の改ざん防止用クロージャー構造。
【発明の詳細な説明】
【０００１】
【発明の属する技術分野】
本発明は、合成樹脂製の容器において、そのクロージャー部分とこれに螺着されるキャップとからなるクロージャー構造に改ざん防止機能を持たせた改ざん防止用クロージャー構造に関し、より詳しくは、カシメ方式によって上記容器孔部の周辺部材（上記容器の開口部周縁）に取り付けられるクロージャーについて、既存のクロージャー部品の僅かな改良により、加工コスト、製品コストを最小にして、改ざん防止機能を付与すると共に、改ざん防止に利用されるキャップのタンパーエビデントバンドが開封後に脱落することを防止する機能も付与できる改ざん防止用クロージャー構造に関する。
【０００２】
【従来の技術】
従来より、ＰＥＴ（ポリエチレンテレフタレート）ボトルのネジ式クロージャー等に改ざん防止、所謂タンパーエビデント機能を持たせるために、例えば図９〜図１１に示すように、ボトル５’のクロージャー１’のネジ部２１の下側に互いに周方向に所定間隔離間させて複数個のラチェット（掛合爪）７を突設し、このクロージャー１’のキャップ４’として、内周面に該ラチェット部７に係合する長板状の羽根状部材（突起部）４３’を互いに周方向に所定間隔離間させて複数個設けたリング（タンパーエビデントバンド）４２’をキャップ本体４０（図９では省略）の下部に一箇所以上のブリッジ部４１によって連結したものを使用し、このキャップ４’を締めた時には羽根状部材４３’がラチェット７とラチェット７との間に入り込み、キャップ４’を開封する時には羽根状部材４３’がラチェット７に引っ掛かることによって、ブリッジ部４１が切断され、タンパーエビデントバンド４２’がキャップ本体４０と切り離されるようにした一般にフィンロック方式と呼ばれる改ざん防止機能を持つものが使用されている。
【０００３】
また、通常、この方式の改ざん防止用クロージャーにおいては、開封後に容器を逆さまにして内容品を排出したり、飲用する時に上記タンパーエビデントバンドがクロージャーから脱落すると異物混入の原因となったり、飲用者に不快感を与えたりするので、開封後にキャップ本体から切り離されたタンパーエビデントバンドが容器を逆さにしても脱落しないように、上記クロージャーの上記ラチェットの上方にアンダーカット８と呼ばれるリング状の出っ張りを設け、上記タンパーエビデントバンド全体がこのアンダーカット８の出っ張りの下に入り込むようにして、開封後に容器を逆さまにしてもキャップ本体から切り離されたタンパーエビデントバンドが上記アンダーカットに引っ掛かって落ちないようになっている。
【０００４】
一方、合成樹脂製の容器にクロージャー部品を取り付けるための一手法として、真空成形や圧空成形、又はヒートシールによって成形した容器本体に口付けのための孔を開け、この開口部の周縁部を容器の内側と外側から二つのクロージャー部品によって挟み込むことによってクロージャー部品を容器本体に取り付ける所謂カシメ方式と呼ばれる方法がとられることがある。
【０００５】
この方法は、クロージャー本体を容器本体に開けられた孔（開口部）に容器本体内側から外側に向かって差し込み、容器本体の外側から主にリング状のカシメ用部品（カシメリング）をクロージャー本体に打ち込んで、クロージャー本体に形成された上記リングと嵌合するカシメリング嵌め込み用凹部（カシメリング嵌合部）にカシメリングを嵌め込み、同時にクロージャー本体とカシメリングとの間に容器本体の孔の周囲の部材（開口部周縁）を挟み込むことによって、クロージャー部品を取り付ける方法であり、軟質の合成樹脂材料からなる容器に硬質のクロージャー部品を任意の位置に強固に取り付けることができ、また、熱溶着などの他の方法に比べて生産性が良い優れた方法である。
【０００６】
そして、このクロージャー取り付け方法においては、カシメリングとクロージャー本体とを強固に嵌合させ、カシメリングや容器本体がカシメリング嵌合部から外れないようにするため、通常、次のような方式がとられる。
【０００７】
即ち、カシメリングと嵌合するクロージャー本体のカシメリング嵌め込み用凹部（カシメリング嵌合部）の外径はカシメリングが容器本体の孔周辺の部材を挟み込んで強く保持できるようにカシメリングの内径よりやや大きめにすると共に、このカシメリング嵌め込み用凹部の上側にカシメリングが外れないようにリング受け部と呼ばれる部分を設ける。このリング受け部の最大外径は、カシメリングの嵌合するカシメリング嵌め込み用凹部の径よりも十分に大きくし、カシメリングが外れないようにするが、カシメリングがカシメリング嵌め込み用凹部に打ち込めるように、上部に行くに従って径が小さくなるようにテーパーを付けて円錐台形とする。カシメリングはテーパーの付いたリング受け部のカシメリングの内径よりも小さい上部、つまり、クロージャーの開口部側（上方）から強い力によってリング受け部に打ち込まれ、プラスチックの弾性によりテーパーに沿って内径が広げられ、最終的にクロージャー本体のカシメリング嵌め込み用凹部に元の内径に近い状態で嵌め込まれる。
【０００８】
【発明が解決しようとする課題】
ところで、このカシメ方式で取り付けられたクロージャーに改ざん防止機能を付与する場合、上記フィンロック方式を採用して上記ラチェットをクロージャー本体側に設けると共に、上記改ざん防止キャップを使用することが考えられるが、この場合、次のような問題が生じる。
【０００９】
即ち、ラチェットをクロージャーがカシメ方式ではない上記ＰＥＴボトル等と同様にクロージャー本体のネジ山の外径よりも外側に出っ張るように設けると、カシメ方式のクロージャーの場合、ラチェットがカシメリングのリング内面側にぶつかってしまい、カシメリングを打ち込むことができなくなる。そのため、カシメリングの内径を相当に大きくしてラチェット形成部を通るようにし、また、リング受け部の外径もかなり大きくし、カシメリングを打ち込めるようにすることも考えられる。
【００１０】
しかしながら、このような手段の場合、全体の寸法が変わるために、それまで使用していた既存のカシメ方式の加工機械を使用することができなくなり、別途、そのための機械が必要となるのみならず、クロージャー部の寸法が変わるため、容器のユーザーのそれまでの充填装置を改造することも必要となる場合がある。従って、上記手段では、従来の装置を使用できないので、改ざん防止機能の付与のために多額の設備投資が必要となるのみならず、クロージャー部品に使う材料が余分にかかり、コストが高くなってしまうという問題も生じる。
【００１１】
一方、カシメ方式のクロージャーの場合、カシメリングの上面にラチェット形成部を設けることも考えられるが、このような手段を採用しても、上記同様の問題が生じるので、上記問題の解決には至らない。
【００１２】
本発明は、上記事情に鑑みなされたもので、カシメ方式で容器に取り付けられる既存のクロージャー部品の僅かな形状変更によって、カシメ方式のクロージャー構造にフィンロック方式の改ざん防止機能が付与され、更に、開封後に切り離されたタンパーエビデントバンドが容器を逆さまにしても落ちない機能を付与することもできる改ざん防止用クロージャー構造を提供する。
【００１３】
【課題を解決するための手段】
本発明は、上記目的を達成するため、下部に一箇所以上のブリッジ部によって連結されたタンパーエビデントバンドを有するキャップと、該キャップが螺着されるクロージャーとからなる改ざん防止用クロージャー構造であって、上記クロージャーがクロージャー本体とカシメリングとを具備し、上記クロージャー本体の外周壁にテーパー部を設けると共に、このテーパー部に上記タンパーエビデントバンドの内周面に備えられた突起部が挿入される一箇所以上の凹状部を設け、且つ上記テーパー部下側に周方向に沿って容器の開口部周縁を挟着するカシメリング嵌合部を設けたことを特徴とする改ざん防止用クロージャー構造を提供する。
【００１４】
ここで、上記突起部が、上記タンパーエビデントバンドのバンド本体の内周面側を基部とし、その先端部が自由端となるように上記バンド本体の内周面に固設された羽根状部材からなり、上記キャップを開封する時に上記羽根状部材の先端部が上記凹状部に係止されることによって、上記ブリッジ部が切断されるものであると、より好適である。
【００１５】
また、上記テーパー部の凹状部非形成部の下端部の周方向に沿った長さの合計と、上記凹状部の外側下端部の長さの合計との比率が３：７〜８：２であったり、上記凹状部の外側下端部が上記テーパー部の下端部がなす円周上よりも内方になるように形成されていると、より好適である。
【００１６】
更に、上記凹状部の外側上端部が上記キャップが螺着された時に上記タンパーエビデントバンドの羽根状部材の先端部よりも外方になるように形成されていたり、上記凹状部が一端側に上記羽根状部材を係止する側壁面を有すると共に、他端側に上記羽根状部材の上記タンパーエビデントバンド内周面に対する突起角度に対応する斜面を有するものであれば、更に好適である。
【００１７】
そしてまた、上記タンパーエビデントバンドの上記羽根状部材の先端部の下側角部が上記テーパー部のテーパー角度に合わせて切り取られていると、更に好適である。
【００１８】
即ち、本発明の改ざん防止用クロージャー構造は、クロージャー本体とカシメリングとを具備するカシメ方式のクロージャーにおいて、上記クロージャー本体のテーパー部に上記タンパーエビデントバンドの内周面に備えられた突起部が挿入される一箇所以上の凹状部を設けたことにより、上記凹状部によって形成される側壁面が従来のフィンロック方式におけるラチェットと同様に機能し、また、上記凹状部の上壁が従来のフィンロック方式におけるアンダーカットと同様に機能する。
【００１９】
従って、キャップ開封前の上記タンパーエビデントバンドの上記突起部は先端側が上記凹状部の中に挿入されていたり、上記テーパー部に当接しているが、キャップを開封する際に、上記凹状部の中に挿入されていた、又は挿入された上記突起部の先端側が上記凹状部の側壁面、又は該側壁面と上記凹状部の背面側の壁とがなす角部に係止されることにより、上記キャップ本体とタンパーエビデントバンドとを連結するブリッジ部が切断されて、開封された跡が残り、これによって、カシメ方式のクロージャーにおいても改ざん防止が可能となる。
【００２０】
ここで、上記突起部が、上記タンパーエビデントバンドのバンド本体の内周面側を基部とし、その先端部が自由端となるように上記バンド本体の内周面に固設された羽根状部材からなり、上記キャップを開封する時に上記羽根状部材の先端部が上述したように上記凹状部により係止されることによって、上記ブリッジ部が切断されるものであると、キャップ開封時に上記羽根状部材の先端部が上記凹状部の係止肩部に引っ掛かり易く、上記ブリッジ部の切断がより容易となる。
【００２１】
また、上記テーパー部の凹状部非形成部の下端部の周方向に沿った長さの合計と、上記凹状部の外側下端部の長さの合計との比率が３：７〜８：２であると、タンパーエビデントバンドの脱落を防止することが容易となり、また、カシメリングの打ち込みに対して、テーパー部がカシメリング打ち込みによる圧力に耐えられずに潰れたりすることを防止できる。
【００２２】
更に、上記凹状部の外側下端部、即ち上記凹状部によって形成される下壁の先端が上記テーパー部の下端部がなす円周上よりも内方になるように形成されていると、上記凹状部の外側下端部の長さが長めの場合、カシメリングの打ち込みに対して、上記凹状部の下壁がカシメリングにぶつかって潰されてしまうという不具合を防ぐことができる。そして、上記凹状部の外側上端部、即ち上記凹状部によって形成される上壁の先端が上記キャップが螺着された時に上記タンパーエビデントバンドの羽根状部材の先端部よりも外方になるように形成されていれば、上記凹状部の上壁によって上記タンパーエビデントバンドが開封後に上記クロージャーから脱落するのを確実に防止できる。
【００２３】
そして、上記凹状部が一端側に上記羽根状部材を係止する側壁面を有すると共に、他端部に上記羽根状部材の上記タンパーエビデントバンド内周面に対する突起角度に対応する斜面を有するものであれば、キャップを回転して密封する時に上記羽根状部材の先端側が上記凹状部の中に入り易くなるので、上記凹状部に入る羽根状部材の枚数を減らさずに、つまり、上記タンパーエビデントバンドの脱落防止の機能を確保しながら、上記テーパー部の凹状部非形成部の長さを稼ぎ、カシメリングの打ち込みに対する強度を確保することができる。また、上記タンパーエビデントバンドの上記羽根状部材の先端部の下側角部が上記テーパー部のテーパー角度に合わせて切り取られていると、切り離されたタンパーエビデントバンドが上記凹状部に入り込まずにテーパー部に当っている羽根状部材の弾力によって反発して脱落するのをより確実に防止できる。
【００２４】
【発明の実施の形態及び実施例】
以下、本発明につき図面を参照して更に詳しく説明する。図１〜図８は、本発明の改ざん防止用クロージャー構造を構成するクロージャー及びキャップの一構成例を説明するものであり、図１は本発明の一構成例の改ざん防止用クロージャー構造Ａにおいてキャップ本体を省略して示した断面図であり、図２は上記クロージャー構造Ａのクロージャー本体２の斜視図、図３はクロージャー１のネジ部を省略して示した上面図、図４はクロージャー本体２を容器口部（容器の開口部）に取り付けるカシメリング３の斜視図である。また、図５は上記クロージャー本体に螺着するキャップ４の斜視図、図６は羽根状部材４３を拡大して示した図５のＺ部分の拡大図であり、図７は上記キャップ４の底面図であり、図８は、クロージャー本体２にキャップが螺着された時のクロージャー本体２の凹状部と羽根状部材４３との状態を説明するためにクロージャー構造Ａの一部を拡大し、クロージャー本体を凹状部を形成する下壁面に沿って切断すると共に、キャップ本体を省略して示したクロージャー構造Ａの説明図である。上記改ざん防止用クロージャー構造Ａは、内容品を充填し、保管、輸送する合成樹脂製容器の開口部に取り付けられ、容器の充填口、注出口となるクロージャー１と、該クロージャー１に螺着されたキャップ４（図５参照）とからなるものである。
【００２５】
ここで、上記クロージャー１は、クロージャー本体２とカシメリング３とを具備し、上記クロージャー本体２は、クロージャー開口部２０を形成する周壁の上側外周面にネジ部２１が形成され、このネジ部２１の下側外周壁にテーパー部２２が設けられており、このテーパー部２２に一端側が係止用の側壁面２３をなす凹状部２４が設けられると共に、その下側にカシメリング嵌合部２５が設けられている。そして、クロージャー本体２のカシメリング嵌合部２５とカシメリング３との間に合成樹脂製容器５の孔（容器開口部）５０の周辺部材（開口部周縁）５１が挟持されていると共に、図５〜７に示すキャップ本体４０とその下部に複数箇所のブリッジ部４１によって連結されたタンパーエビデントバンド４２とを具備するキャップ４が上記ネジ部２１に螺合して被着されている。
【００２６】
上記クロージャー１が取り付けられる合成樹脂製容器５は、その形状、材質などが特に制限されるものではなく、従来よりカシメ方式のクロージャーが採用されていた容器を使用することができ、例えばブロー成型，真空成型，圧空成型された成型タイプのもの、合成樹脂フィルムの周囲を熱溶着したフィルムタイプのものなどのいずれのタイプのものであってもよく、また、材質としては、通常ポリエチレン、ＥＶＡ（エチレン−酢酸ビニル共重合体）、ポリプロピレン等の軟質の合成樹脂材料が好適に使用される。
【００２７】
また、上記容器５に充填される内容品も特に制限されるものではなく、液体、粉体などいずれのものであってもよいが、改ざん防止機能を付与する目的を考慮すれば、例えばワインや日本酒等の酒類，みりんや醤油等の調味液類などの飲食品、金メッキ液などの工業用薬品類、医療用液体などの薬品類等を充填、保管する容器として好適である。
【００２８】
上記クロージャー本体２及びカシメリング３は、材質などが特に制限されるものではないが、容器５を挟持することができ、且つカシメリングを打ち込める程度の剛性及び弾力性を有することを考慮すれば、ポリエチレン，ポリプロピレン等のポリオレフィン、６６ナイロン，６ナイロン等のポリアミド、ポリエチレンテレフタレート等のポリエステル、ポリカーボネートなどの硬質の合成樹脂が好適に使用され、通常これらは同質の材料同士、又は異なった材料を組み合わせて使用される。
【００２９】
上記クロージャー本体２に設けられたテーパー部２２は、上述したように凹状部２４が設けられている。ここで、上記凹状部２４の数は特に制限されるものではなく、通常２〜４個程度を周方向に互いに所定間隔離間させて形成すると、好適である。
【００３０】
上記凹状部２４は、後述するように上記タンパーエビデントバンド４２の羽根状部材４３を係止できる限り、その形状、大きさが特に制限されるものではないが、上述したように係止用の側壁面２３を有し、特に図３に示すように、上記テーパー部２２の上記凹状部が形成されていない部分（凹状部非形成部）２６の下端部の周方向に沿った長さ（図３中の矢印ａ）の合計と、凹状部２４の外側下端部の長さ（図３中の矢印ｂ）の合計との比率が３：７〜８：２、特に５：５〜７：３となるようにすると、好適である。
【００３１】
上記凹状部非形成部２６の下端部の周方向に沿った長さの合計が長すぎると、タンパーエビデントバンド４２の脱落を防止することが困難となる場合がある。一方、凹状部２４の外側下端部の長さの合計が長すぎると、カシメリング３の打ち込みに対して、テーパー部２２がカシメリング打ち込みによる圧力に耐えられずに潰れてしまう場合がある。
【００３２】
ここで、上記凹状部２４の外側下端部の長さ（図３中の矢印ｂ）は、特に制限されるものではないが、例えば０．５〜２ｃｍ程度が適当である。この長さが長めの場合、上記凹状部２４の外側下端部、即ち凹状部２４の下壁の先端が上記テーパー部２２の下端部がなす円周６（図３参照）と一致していると、カシメリング３の打ち込みに対して、凹状部２４の下壁がカシメリングにぶつかって潰されてしまう可能性がある。このような事態を防ぐために、上記凹状部２４は、その外側下端部（下壁）が上記テーパー部２２の下端部がなす円周６上の二点を直線状に結ぶように切り欠かれており、凹状部２４の外側下端部がテーパー部２２の下端部がなす円周６上よりも内方になるように形成されていると好適である。
【００３３】
更に、上記凹状部２４は、その外側上端部、即ち凹状部２４の上壁２７の先端が上記テーパー部２２がなす円周６’（図３参照）に一致するので、上記タンパーエビデントバンド４２の羽根状部材４３が凹状部２４内に入り込んだ時、羽根状部材４３の先端部よりも外方に位置することになり、開封後に容器５を逆さまにすると、羽根状部材は凹状部２４の上壁２７に引っ掛かり、切り離されたタンパーエビデントバンド４２の脱落を防止できると共に、凹状部２４の上壁２７がテーパー部２２よりも出っ張ることもないので、カシメリング３の打ち込みによって凹状部２４の上壁が潰れることもない。
【００３４】
そして、上記凹状部２４のより好ましい形状としては、特に図３に示すように、一端側がクロージャー開口部２０のほぼ中心軸方向に切り欠かれることによって、一端側の係止用の側壁面２３が形成されると共に、他端側が上から見た時に底辺２９が周方向の接線ｃに対して角度θとなるような斜度を有する略三角形状の斜面２８が形成され、この角度θを、後述する羽根状部材４３のタンパーエビデントバンド４２内周面に対する突起角度α（図７参照）に合わせた角度とすることによって、特に図８に示すように、上記側壁面２３（図３参照）の反対側に上記突起角度αに対応する斜面２８（図３参照）が形成され、このように斜面２８が形成されることによって、クロージャー本体を密封する際に、キャップを回転すると、羽根状部材４３の先端側が凹状部２４の中に入り易くなる。
【００３５】
上記クロージャー本体２のカシメリング嵌合部２５に打ち込まれるカシメリング３は、容器５に内容品を充填する際、充填機にクロージャー１を固定するために、リング本体３０の上端部に鍔部３１が一体に形成されていると共に、リング本体３０の内径は上記テーパー部２２の下端側よりも若干小径となっている。更に、リング本体３０の内径は、容器５の開口部周縁５１を強く挟持するために、上記カシメリング嵌合部２５の径よりも若干小径となっている。
【００３６】
そして、図５に示す上記クロージャー１に螺着されるキャップ４は、上述したようにキャップ本体４０とタンパーエビデントバンド４２がブリッジ部４１によって連結されている。ここで、ブリッジ部４１の数は特に制限されるものではないが、通常２〜４個程度である。そして、タンパーエビデントバンド４２の内周面には、複数の略長板形の羽根状部材４３が先端部が自由端となるように互いに周方向に所定間隔離間して固設されている。ここで、上記羽根状部材４３の数は特に制限されるものではないが、通常１０〜３０個程度である。また、羽根状部材４３は、特に図６に示すように、長板形の先端部の下側角部４４がキャップ４をクロージャー１に螺着した時に、テーパー部２２に羽根状部材４３の下側が当らないように、テーパー部２２のテーパー角度β（図１参照）に合わせて上記長板形の下辺から角度γに切り取られており、角部βと角部γとの関係は、羽根状部材４３がタンパーエビデントバンド４２に取り付けられている角度にもよるが、通常、β≒γが好適である。
【００３７】
各羽根状部材４３は、キャップ４を開封する前は、先端部が凹状部２４の中に入り込んでいるか、テーパー部２２表面に圧接しており、キャップ４を開封する時には、先端部が凹状部２４の側壁面２３及び側壁面２３と凹状部２４背面の壁面とによる角部に係止され、また、開封後は、容器５を逆さまにすると、先端部が凹状部２４の上壁２７に係止されてタンパーエビデントバンド４２の脱落を防止するようになっている。ここで、羽根状部材４３の下側角部４４が上記のように切り取られているので、凹状部２４の中に入り込まず、テーパー部２２表面に圧接している羽根状部材４３の下側角部がテーパー部２２に当たることがなく、従って羽根状部材４３の反発力によるタンパーエビデントバンド４２の脱落が防止されている。
【００３８】
なお、クロージャー本体２、カシメリング３、キャップ本体４０及びタンパーエビデントバンド４２等の製造方法は、特に制限されるものでなく、射出成型等の公知の成型方法により、製造することができ、この時、従来より使用していた型を上記クロージャー本体２、タンパーエビデントバンド４２が上記形状となるように若干変化させて使用することができる。
【００３９】
そして、クロージャー１の容器５への取り着け方法も特に制限されるものではなく、公知のカシメ方式の装置を使用して常法によって組み立てることができ、例えばクロージャー本体２を容器本体に設けられた孔（容器開口部）５０の周辺部材（開口部周縁）５１の弾性変形を利用して容器５内側に挿入し、カシメリング嵌合部２５に容器開口部５０の周辺部材（開口部周縁）５１が位置するようにクロージャー本体２を容器内側から配しておき、常法によりカシメリング３をクロージャー本体２の上側からテーパー部２２に沿って押し入れ、弾性変形によって上記カシメリングを開口部周縁５１を挟み込んだ状態でカシメリング嵌合部２５に嵌合させる。この時、上述したようにカシメリング３が打ち込み難くなったり、クロージャー本体２が壊れたりすることはない。その後、常法に従って上記クロージャー開口部２０から内容品を充填した後、上記クロージャー本体２にキャップ４を常法により螺着する。
【００４０】
上記クロージャー構造Ａにおいて、上記キャップ４を開封するために上記クロージャー１に螺着したキャップ４をひねると、キャップ本体４０はひねりに追従するが、タンパーエビデントバンド４２は羽根状部材４３がクロージャー本体２の凹状部２４の係止用の側壁面２３、その角部に係止されて動かないため、キャップ本体４０とタンパーエビデントバンド４２とを連結するブリッジ部４１が切断されて、開封された跡が残り、これによって、カシメ方式のクロージャー１を使用したクロージャー構造であっても改ざん防止が可能となる。
【００４１】
上記クロージャー構造Ａによれば、従来のカシメ方式のクロージャーの既存の機械適性に関わるクロージャー寸法を変えることなく、且つ使用材料も増加することなく、既存の機械でカシメリング３の打ち込みが可能となるように、上記タンパーエビデントバンド４２の上記羽根状部材を係止する凹状部２４をクロージャー本体２に設けることができるので、改ざん防止機能付与のために多額の設備投資が必要となることがなく、また、材料費が余分にかかることもない。
【００４２】
なお、本発明は、上記構成に限定されるものではなく、本発明の要旨を逸脱しない範囲で種々変更して差し支えない。
【００４３】
【発明の効果】
本発明によれば、カシメ方式で容器に取り付けられるクロージャーのクロージャー本体及びキャップに種々の工夫を行うことにより、カシメ方式のクロージャー構造にフィンロック方式のキャップによる改ざん防止機能を付与でき、且つ開封後に切り離されたタンパーエビデントバンドが容器を逆さにしても脱落しない機能を付与できる。そして、本発明によれば、既存のクロージャー本体のテーパー部を僅かに形状変更することによって上記機能を付与することが可能であるので、既存の加工機械や充填装置の改造を必要とせず、また、材料の使用量も増加せずに、必要コストを最小にして、カシメ方式の改ざん防止用クロージャー構造を得ることができる。
【図面の簡単な説明】
【図１】本発明の改ざん防止用クロージャー構造の一構成例を説明する断面図である。
【図２】上記改ざん防止用クロージャー構造のクロージャー本体の斜視図である。
【図３】上記改ざん防止用クロージャー構造のクロージャーの上面図である。
【図４】上記改ざん防止用クロージャー構造のカシメリングの斜視図である。
【図５】上記改ざん防止用クロージャー構造のキャップの斜視図である。
【図６】図５のＺ部分の拡大図である。
【図７】上記キャップの底面図である。
【図８】上記クロージャー構造の凹状部と羽根状部材との状態を示す説明図である。
【図９】従来の改ざん防止用クロージャー構造の断面図である。
【図１０】上記改ざん防止用クロージャー構造の斜視図である。
【図１１】上記改ざん防止用クロージャー構造のキャップの斜視図である。
【符号の説明】
Ａ  改ざん防止用クロージャー構造
１  クロージャー
２  クロージャー本体
２２  テーパー部
２３  側壁面
２４  凹状部
２５  カシメリング嵌合部
２８  斜面
３  カシメリング
４  キャップ
４０  キャップ本体
４１  ブリッジ部
４２  タンパーエビデントバンド
４３  羽根状部材
５０  容器開口部
５１  開口部周縁
【図１】
0004328920.tif 000002
【図２】
0004328920.tif 000003
【図３】
0004328920.tif 000004
【図４】
0004328920.tif 000005
【図５】
0004328920.tif 000006
【図６】
0004328920.tif 000007
【図７】
0004328920.tif 000008
【図８】
0004328920.tif 000009
【図９】
0004328920.tif 000010
【図１０】
0004328920.tif 000011
【図１１】
0004328920.tif 000012